(57)【要約】【課題】アクセスコントロールが施されたコンテンツについて、利用権限のないユーザとも情報共有できるようにする。【解決手段】利用権限が付与されたコンテンツについて利用権限を有するユーザからのコンテンツ共有指示に基づいて、コンテンツの利用権限のないユーザに対して、利用制約をかけてコンテンツを提供する処理部を備える、情報処理装置が提供される。【選択図】図１
2016015073.tif 000002
【特許請求の範囲】
【請求項１】
利用権限が付与されたコンテンツについて利用権限を有するユーザからのコンテンツ共有指示に基づいて、前記コンテンツの利用権限のないユーザに対して、利用制約をかけて前記コンテンツを提供する処理部を備える、情報処理装置。
【請求項２】
前記コンテンツが音楽である場合、前記処理部は、前記コンテンツを、音質を低下させて、利用権限のないユーザに対して提供する、請求項１に記載の情報処理装置。
【請求項３】
前記コンテンツがステレオ音源の音楽である場合、前記処理部は、前記コンテンツをモノラルにして利用権限のないユーザに対して提供する、請求項１に記載の情報処理装置。
【請求項４】
利用権限のないユーザが２つ以上の音声出力部を有する装置を利用して前記音楽の提供を受けるとき、前記処理部は、前記各音声出力部から出力されるモノラル音源を同一にする、請求項３に記載の情報処理装置。
【請求項５】
前記コンテンツが動画像である場合、前記処理部は、前記コンテンツを、フレームレートを落として利用権限のないユーザに対して提供する、請求項１に記載の情報処理装置。
【請求項６】
前記コンテンツが３次元画像である場合、前記処理部は、前記コンテンツを、２次元画像にして利用権限のないユーザに対して提供する、請求項１に記載の情報処理装置。
【請求項７】
前記コンテンツが電子書籍コンテンツである場合、前記処理部は、前記コンテンツを、ページの送り速度を遅くして利用権限のないユーザに対して提供する、請求項１に記載の情報処理装置。
【請求項８】
前記処理部は、利用権限を有するユーザがコンテンツを利用している間のみ、利用権限のないユーザに対して前記コンテンツを提供する、請求項１に記載の情報処理装置。
【請求項９】
利用権限を有するユーザと利用権限のないユーザとがメッセージを送受信可能な端末を介して通信しているとき、
前記処理部は、利用権限を有するユーザからのコンテンツ共有指示に基づいて、前記コンテンツの利用権限のないユーザに対して、指定されたコンテンツを視聴可能な状態で、前記メッセージとともに提供する、請求項１に記載の情報処理装置。
【請求項１０】
前記処理部は、前記コンテンツに広告を付加して、利用権限のないユーザに対して前記コンテンツを提供する、請求項１に記載の情報処理装置。
【請求項１１】
前記処理部は、利用権限のないユーザに対してアンケートへの回答を要求し、前記利用権限のないユーザが前記アンケートに回答したとき、当該利用権限のないユーザに対して前記コンテンツを提供する、請求項１に記載の情報処理装置。
【請求項１２】
利用権限を有するユーザと利用権限のないユーザとが通話可能な端末を介して通信しているとき、
前記処理部は、利用権限を有するユーザからのコンテンツ共有指示に基づいて、前記コンテンツのうち指定された音楽を、前記コンテンツの利用権限のないユーザに対して、通話の背景音楽として提供する、請求項１に記載の情報処理装置。
【請求項１３】
前記処理部は、利用権限を有するユーザからの利用制約の設定変更指示を受けて、コンテンツ配信元により予め規定された利用制約の範囲内で、前記利用制約を変更する、請求項１に記載の情報処理装置。
【請求項１４】
ユーザによる利用権限のあるコンテンツの利用を管理する管理部を備え、
前記処理部は、前記管理部により判断された各ユーザのコンテンツの利用権限に基づいて、提供するコンテンツに利用制約をかけるように構成される、請求項１に記載の情報処理装置。
【請求項１５】
前記情報処理装置および提供されるコンテンツは、ユーザが利用する機器とネットワークを介して接続されたサーバに設けられる、請求項１に記載の情報処理装置。
【請求項１６】
前記情報処理装置は、ユーザが利用する機器とネットワークを介して接続されたサーバに設けられ、
前記処理部は、利用権限を有するユーザが利用する機器に格納されたコンテンツを、前記ネットワークを介して、利用権限のないユーザが利用する機器へ提供する、請求項１に記載の情報処理装置。
【請求項１７】
利用権限が付与されたコンテンツについて利用権限を有するユーザからのコンテンツ共有指示に基づいて、前記コンテンツの利用権限のないユーザに対して、利用制約をかけて前記コンテンツを提供する、情報処理方法。
【請求項１８】
コンテンツを利用するための複数の情報処理端末と、
前記情報処理端末へのコンテンツの配信を行う配信サーバと、
を備え、
前記配信サーバは、１つの前記情報処理端末より受信した、利用権限が付与されたコンテンツについて利用権限を有するユーザからのコンテンツ共有指示に基づいて、前記コンテンツの利用権限のないユーザに対して、利用制約をかけて前記コンテンツを提供する、コンテンツ共有システム。
【請求項１９】
配信されるコンテンツについて利用権限のないユーザの情報処理端末が複数存在する場合、
前記配信サーバは、前記各情報処理端末に対して前記コンテンツをそのまま送信し、
前記各情報処理端末は、前記利用制約に基づいて、受信したコンテンツの一部のみ受信する、請求項１８に記載の情報処理装置。
【発明の詳細な説明】
【技術分野】
【０００１】
本開示は、情報処理装置、情報処理方法およびコンテンツ提供システムに関する。
【背景技術】
【０００２】
チャットやソーシャル・ネットワーキング・サービス（Social Networking Service；ＳＮＳ）の普及に伴い、ユーザ間での情報共有が容易になり、新たなコミュニケーション形態として利用されている。例えば、特許文献１には、チャットシステムにおいて複数ユーザで同じ音楽を同時に再生させる手法が提案されている。
【先行技術文献】
【特許文献】
【０００３】
【特許文献１】特開２０１０−２０５２７８号公報
【発明の概要】
【発明が解決しようとする課題】
【０００４】
しかし、音楽等のコンテンツには、著作物等のようにアクセスコントロールが施されたものもある。このようなコンテンツを利用するためには対価を支払い、利用権限を得る必要がある。このため、アクセスコントロールが施されたコンテンツをユーザ間で共有する場合、利用権限のあるユーザであれば当該コンテンツを共有できるが、利用権限のないユーザとは当該コンテンツを共有することができなかった。
【０００５】
そこで、アクセスコントロールが施されたコンテンツについて、利用権限のないユーザとも情報共有できることが求められていた。
【課題を解決するための手段】
【０００６】
本開示によれば、利用権限が付与されたコンテンツについて利用権限を有するユーザからのコンテンツ共有指示に基づいて、コンテンツの利用権限のないユーザに対して、利用制約をかけてコンテンツを提供する処理部を備える、情報処理装置が提供される。
【０００７】
また、本開示によれば、利用権限が付与されたコンテンツについて利用権限を有するユーザからのコンテンツ共有指示に基づいて、コンテンツの利用権限のないユーザに対して、利用制約をかけてコンテンツを提供する、情報処理方法が提供される。
【０００８】
さらに、本開示によれば、コンテンツを利用するための複数の情報処理端末と、情報処理端末へのコンテンツの配信を行う配信サーバと、を備え、配信サーバは、１つの情報処理端末より受信した、利用権限が付与されたコンテンツについて利用権限を有するユーザからのコンテンツ共有指示に基づいて、コンテンツの利用権限のないユーザに対して、利用制約をかけてコンテンツを提供する、コンテンツ共有システムが提供される。
【発明の効果】
【０００９】
以上説明したように本開示によれば、アクセスコントロールが施されたコンテンツについて、利用権限のないユーザとも情報共有することが可能となる。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１０】
【図１】本開示の第１の実施形態に係るコンテンツ共有システムの構成例を説明する説明図である。
【図２】同実施形態に係るコンテンツ共有システムの機能構成を示す機能ブロック図である。
【図３】同実施形態に係るコンテンツ共有システムにおけるコンテンツ共有処理の一例を示すフローチャートである。
【図４】ユーザ同士がチャットを行っている際に、音楽コンテンツを共有する状況を説明する説明図である。
【図５】音声通話中における音楽コンテンツの共有を説明する説明図である。
【図６】品質的制約の一例として、動画コンテンツを構成する各フレームを間引いて提供することを説明する説明図である。
【図７】３次元画像を２次元画像として提供する方法を説明する説明図である。
【図８】共有するコンテンツとともに、当該コンテンツとは直接的に関係のない情報を合わせて提示することを説明する説明図である。
【図９】有するコンテンツについて提供する際の処理速度を、利用権限のあるユーザに対して提供する場合より低下させて、コンテンツを提示することを説明する説明図である。
【図１０】音楽コンテンツに対する品質的制約の一例として、再生方式を変える場合の処理を示すフローチャートである。
【図１１】音楽コンテンツに対する品質的制約の一例として、再生方式を変える場合の処理を示す説明図である。
【図１２】本開示の第２の実施形態に係るコンテンツ共有システムの機能構成を示す機能ブロック図である。
【図１３】本開示の上記実施形態に係る配信サーバのハードウェア構成を示すハードウェア構成図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．第１の実施形態（情報通信端末でのコンテンツ処理）
１．１．概要
１．２．機能構成
１．３．コンテンツ共有処理
１．４．利用制約情報のバリエーション
（１）音声通話中のみ利用可能
（２）品質的制約（動画コンテンツ）
（３）コンテンツ以外の情報の挿入
（４）処理速度の低下
（５）品質的制約（音楽コンテンツ）
２．第２の実施形態（クラウドサーバでのコンテンツ処理）
２．１．機能構成
２．２．コンテンツ共有処理
３．ハードウェア構成例
【００１３】
＜１．第１の実施形態＞
［１．１．概要］
まず、図１を参照して、本開示の実施形態に係るコンテンツ共有システムの概要について説明する。図１は、本実施形態に係るコンテンツ共有システムの構成例を説明する説明図である。なお、以下において、特に明示していない場合には、「コンテンツ」は、アクセスコントロール等の利用に際して権限を持った者のみが利用できるコンテンツをいうものとする。
【００１４】
本実施形態に係るコンテンツ共有システムは、複数のユーザでネットワークを介してコミュニケーションを取る際に、ユーザ間でのコンテンツの共有も可能にするシステムである。かかるコンテンツ共有システムでは、共有するコンテンツに利用権限がある場合、当該コンテンツに対する各ユーザの利用権限の有無に基づいて、コンテンツの提供方法を変える。
【００１５】
例えば、図１に示すように、あるコンテンツについて、利用権限のあるユーザと利用権限のないユーザとが、例えばスマートフォン等の情報通信端末２００Ａ、２００Ｂを利用してチャットしているとする。情報通信端末２００Ａ、２００Ｂは、配信サーバ１００を介してメッセージおよびコンテンツを送受信する。ここで、コンテンツの利用権限のあるユーザＡが、コンテンツの利用権限のないユーザＢとコンテンツを共有したい場合、従来であれば、利用権限のないユーザＢは当該コンテンツを利用することができない。
【００１６】
そこで、本実施形態に係るコンテンツ共有システムでは、利用権限のないユーザＢともコンテンツを共有できるように、利用権限のないユーザＢに対しては制約付きでコンテンツの利用を可能にする。すなわち、利用権限のあるユーザＡは、そのコンテンツを制約なく利用することができる。一方、利用権限のないユーザＢは、利用制約を受けつつそのコンテンツを利用することができるようにする。
【００１７】
このような仕組みによって、コンテンツの利用権限によらず複数ユーザ間でコンテンツを共有することが可能となる。また、利用権限のないユーザに対しては、制約付きでコンテンツの利用を可能にすることで、対価を払って利用権限を得ているユーザとの公平性も維持することができる。以下、本実施形態に係るコンテンツ共有システムの構成とその機能について、詳細に説明する。
【００１８】
［１．２．機能構成］
図２に基づいて、本実施形態に係るコンテンツ共有システムの機能構成について説明する。図２は、本実施形態に係るコンテンツ共有システムの機能構成を示す機能ブロック図である。図２では、第１の情報通信端末２００Ａを利用するユーザが、あるコンテンツに関する利用権限を有しており、第２の情報通信端末２００Ｂを利用するユーザは、コンテンツの利用権限を有していないものとする。
【００１９】
本実施形態に係るコンテンツ共有システムは、図２に示すように、配信サーバ１００を介して、２つの情報通信端末２００Ａ、２００Ｂ間でメッセージの送受信を可能にするシステムである。メッセージは、電話のように音声メッセージであってもよく、メールやチャット等のテキストメッセージであってもよい。
【００２０】
（配信サーバ）
配信サーバ１００は、ネットワークを介して接続された情報通信端末２００Ａ、２００Ｂに対してメッセージを配信するサーバである。配信サーバ１００は、メッセージとともにコンテンツも配信する。配信サーバ１００は、図２に示すように、通信部１１０と、メッセージ送信処理部１２０とを備える。
【００２１】
通信部１１０は、ネットワークを介して接続された情報通信端末２００Ａ、２００Ｂとの情報の送受信を行うインタフェースである。通信部１１０は、各情報通信端末２００Ａ、２００Ｂから送信先へ送信するメッセージやコンテンツを受信したり、送信先の情報通信端末２００Ａ、２００Ｂへメッセージやコンテンツを送信したりする。
【００２２】
メッセージ送信処理部１２０は、送信先へ送信するメッセージを送信可能な形式となるよう処理する。メッセージ送信処理部１２０は、通信部１１０から受信したメッセージを処理した後、通信部１１０を介して送信先の情報通信端末２００Ａ、２００Ｂに送信する。
【００２３】
（情報通信端末）
情報通信端末２００Ａ、２００Ｂは、ユーザがメッセージやコンテンツの送受信や、コンテンツの視聴等を行うために使用する端末であり、例えば、携帯電話やスマートフォン、タブレット端末、ウェアラブル端末等の機器である。本実施形態では、コンテンツの利用権限のあるユーザが使用する第１の情報通信端末２００Ａおよびコンテンツの利用権限のないユーザが利用する第２の情報通信端末２００Ｂは同一構成としているが、本技術はかかる例に限定されない。例えば、コンテンツ処理部２６０、コンテンツ記憶部２７０については、端末内にコンテンツを保持し、他の端末へコンテンツを提供する際に当該端末にてコンテンツ処理を行うことを可能にするものであり、他の機器で同様の処理を行う場合には備えなくともよい。
【００２４】
第１の情報通信端末２００Ａおよび第２の情報通信端末２００Ｂは、図２に示すように、入力部２１０と、制御部２２０と、通信部２３０と、メッセージ処理部２４０と、出力部２５０と、コンテンツ処理部２６０と、コンテンツ記憶部２７０とを備える。
【００２５】
入力部２１０は、ユーザによる情報入力を受け付ける機能部であって、例えば、ユーザが操作する操作体の接触や近接を検出可能なタッチパネルや、ボタン、キーボード等により実現される。音声入力を可能とする場合には、入力部２１０としてマイク等が設けられる。ユーザは、入力部２１０を用いて、他のユーザへ送信するメッセージを入力する。また、ユーザは、入力部２１０を用いて、他のユーザと共有するコンテンツを指定する。
【００２６】
制御部２２０は、情報通信端末２００Ａ、２００Ｂの機能の制御処理全般を行う。制御部２２０は、入力部２１０から入力された情報に基づいて、メッセージやコンテンツを送信したり、入力部２１０から入力された情報や受信した情報等を出力部２５０に出力させたりする。また、コンテンツの利用権限を有していない他のユーザとコンテンツを共有する場合には、コンテンツ処理部２５０コンテンツに利用制約をかける処理を行わせる。
【００２７】
通信部２３０は、ネットワークを介して接続された配信サーバ１００や情報通信端末２００Ａ、２００Ｂとの情報の送受信を行うインタフェースである。通信部２３０は、当該情報通信端末２００Ａ（または２００Ｂ）から入力されたメッセージや、指定されたコンテンツを配信サーバ１００へ送信する。また、通信部２３０は、他の情報通信端末２００Ｂ（または２００Ａ）から送信されたメッセージやコンテンツを、配信サーバ１００を介して受信する。
【００２８】
メッセージ処理部２４０は、入力部２１０から入力されたメッセージや他のユーザの情報通信端末から受信したメッセージを処理し、出力部２５０から出力可能な形式とする。メッセージ処理部２４０は、制御部２２０の指示を受けてメッセージを処理する。処理されたメッセージは、制御部２２０を介して出力部２５０に出力される。
【００２９】
出力部２５０は、情報を出力する機能部であって、表示部２５２と、音声出力部２５４とからなる。表示部２５２は、情報を表示する機能部であり、例えば液晶ディスプレイや有機ＥＬディスプレイ等により実現できる。音声出力２５４は、音声情報を出力する機能部であり、例えばスピーカ等により実現できる。ユーザは、出力部２５０からメッセージやコンテンツの提供を受けることにより、他のユーザとの情報共有が可能となる。
【００３０】
コンテンツ処理部２６０は、他のユーザとコンテンツを共有する際に、コンテンツに利用制約をかける処理を行う。コンテンツ処理部２６０は、提供するコンテンツの種類やコンテンツの提供方法に応じて、当該コンテンツを他のユーザが利用する際に、所定の制約を受けるようにする。コンテンツの利用制約としては、例えば、利用権限のあるユーザと同時に利用する場合にのみ利用可能とするような時間的制約や、コンテンツの品質を低下させる品質的制約等がある。
【００３１】
コンテンツ処理部２６０は、コンテンツの利用権限を有するユーザから他のユーザとのコンテンツの共有が指示されると、対象となるコンテンツをコンテンツ記憶部２７０から取得して、コンテンツにかける利用制約を利用制約情報としてコンテンツに付加する。利用制約情報が付加されたコンテンツは、通信部２３０を介して配信サーバ１００へ送信された後、他のユーザの端末へ送信される。
【００３２】
コンテンツ記憶部２７０は、コンテンツを記憶する記憶部である。コンテンツには、例えば、音楽や写真、動画像、電子書籍、ゲーム等がある。コンテンツ記憶部２７０に記憶されているコンテンツは、ユーザ自身は自由に利用可能であるが、他のユーザは利用する権限を有しないコンテンツも含まれる。コンテンツ記憶部２７０に記憶されたコンテンツは、必要に応じてコンテンツ処理部２６０により処理された後、他のユーザと共有することが可能である。
【００３３】
［１．３．コンテンツ共有処理］
図３および図４に基づいて、本実施形態に係るコンテンツ共有システムにおけるコンテンツ共有処理について説明する。図３は、本実施形態に係るコンテンツ共有システムにおけるコンテンツ共有処理の一例を示すフローチャートである。図４は、ユーザ同士がチャットを行っている際に、音楽コンテンツを共有する状況を説明する説明図である。なお、図３に示す処理は、チャットを行っている各ユーザの情報通信端末２００Ａ、２００Ｂに共通の処理であり、メッセージ送信者となっているときの処理を示す。
【００３４】
ここでは、一例として、ユーザ同士がチャットを行っている際に、音楽コンテンツを共有する場合について説明する。この音楽コンテンツは、著作権のあるコンテンツであり、対価を支払い、利用権限を有するユーザのみが利用できるものである。図４左上に示すように、例えばスマートフォン等の情報通信端末２００の表示部２５２に、チャット画面１２が表示されているとする。チャット画面１２には、チャット相手のユーザから受信したメッセージ（例えば、メッセージ１４ａ、１４ｃ）と、ユーザが入力し、チャット相手のユーザに送信したメッセージ（例えば、メッセージ１４ｂ）とが、交互に表示される。
【００３５】
本実施形態に係るコンテンツ共有システムでは、メッセージの送信者であるユーザは、このようにチャットを行いつつ、チャット相手のユーザとコンテンツを共有するようにすることが可能である。図３に示すように、メッセージまたはコンテンツを送信しようとしているユーザが使用している情報通信端末２００の制御部２２０は、まず、入力部２１０よりメッセージが入力されたか否かを確認する（Ｓ１００）。メッセージの入力があった場合、制御部２２０は、次いで、メッセージを送信する送信ボタン１６（図４参照）が押下されたか否かを判定する（Ｓ１０２）。なお、送信ボタン１６は、図２に示す入力部２１０の１つである。
【００３６】
ステップＳ１０２にて、送信ボタン１６が押下されていないと判定された場合には、ステップＳ１００からの処理が繰り返される。一方、ステップＳ１０２にて送信ボタン１６が押下されたと判定した場合には、制御部２２０は、ステップＳ１００にて入力されたメッセージを、通信部２２０を介して配信サーバ１００へ送信する（Ｓ１１２）。情報通信端末２００からメッセージを受信した配信サーバ１００は、メッセージ送信処理を行った後、チャット相手が利用している情報通信端末２００へメッセージを送信する。
【００３７】
ステップＳ１００の処理に戻り、入力部２１０よりメッセージが入力されていないと判定した場合、次に、制御部２２０は、送信ボタン１６が長押しされたか否かを判定する（Ｓ１０４）。本実施形態に係る情報通信端末２００は、通常チャットで送受信されるメッセージ以外に、コンテンツを送信することも可能である。本実施形態では、送信ボタン１６の長押し操作に、チャット相手と共有するコンテンツを選択するためのコンテンツ選択メニュー表示処理が関連付けられている。そこで、ステップＳ１０４の判定により、ユーザがコンテンツ選択メニューを表示させようとしているか否かを判断する。
【００３８】
すなわち、ステップＳ１０４の処理は、コンテンツ選択メニュー表示処理を実行するための操作が行われたかを判断するための操作である。したがって、コンテンツ選択メニュー表示処理を実行するための操作として、送信ボタン１６の長押し操作以外の操作が関連付けられていることもある。その場合には、ステップＳ１０４では、コンテンツ選択メニュー表示処理を実行するための操作が行われたか否かが判定される。
【００３９】
送信ボタン１６の長押しと判定する時間は任意に設定することができ、例えば１秒程度としてもよい。ステップＳ１０４にて、送信ボタン１６が長押しされていないと判定された場合には、ステップＳ１００からの処理が繰り返される。一方、ステップＳ１０４にて、送信ボタン１６の長押しがされたと判定した場合には、制御部２２０は、表示部２５２にコンテンツ選択メニューを表示させる（Ｓ１０６）。例えば、図４右上に示すように、送信ボタン１６が所定時間以上押下された場合には、同図左下に示すように、例えばチャット画面１２の空間に、コンテンツ選択メニュー１８が表示される。
【００４０】
コンテンツ選択メニュー１８は、例えば、「再生中のコンテンツ」ボタン１８ａ、「Ｍｕｓｉｃ」ボタン１８ｂ、「Ｍｏｖｉｅ」ボタン１８ｃ、「Ｇａｍｅ」ボタン１８ｄから構成してもよい。「再生中のコンテンツ」ボタン１８ａが選択されれば、情報通信端末２００にて現在再生中のコンテンツが共有されることになる。また、「Ｍｕｓｉｃ」ボタン１８ｂ、「Ｍｏｖｉｅ」ボタン１８ｃ、「Ｇａｍｅ」ボタン１８ｄのいずれかが選択された場合には、情報通信端末２００のコンテンツ記憶部２７０に記憶された、対象となるコンテンツの一覧を、表示部２５２に表示させてもよい。その後、コンテンツの一覧からユーザにより選択されたコンテンツを共有対象とすることができる。
【００４１】
その後、制御部２２０は、コンテンツ選択メニュー１８から選択されたコンテンツを確認する（Ｓ１０８）。選択されたコンテンツが再生中のコンテンツである場合、制御部２２０は、コンテンツ処理部２６０に対し、再生中のコンテンツに所定の利用制約情報を付加させる（Ｓ１１０）。利用制約情報は、利用権限のないユーザとコンテンツを共有する場合に付加される利用制約を表す情報である。利用制約情報は、提供するコンテンツの種類やコンテンツの提供方法に応じて設定される。本実施形態では、利用制約情報によって時間的制約を設け、現在のチャットが接続されている間のみ、コンテンツを利用可能にする。
【００４２】
共有するコンテンツに利用制約情報が付加されると、制御部２２０は、通信部２３０を介して、コンテンツおよび利用制約情報を配信サーバ１００へ送信し、チャット相手の情報通信端末２００へ送信させる（Ｓ１１２）。コンテンツが送信されると、情報通信端末２００の表示部２５２には、例えは図４右下に示すように、共有されたコンテンツを再生するためのアイコンメッセージ１４ｄが表示される。アイコンメッセージ１４は、コンテンツに応じて設定されるようにしてもよい。例えば、図４のように音楽コンテンツが共有された場合には、アイコンメッセージ１４ｄにはスピーカのアイコンが示される。これにより、共有されたコンテンツの種類を視覚的にチャット相手に伝えることができる。
【００４３】
アイコンメッセージ１４ｄを受信したユーザは、アイコンメッセージ１４ｄを押下すると、アイコンメッセージ１４に関連付けられたコンテンツを利用制約情報に規定された範囲内で利用することが可能となる。例えば、音楽コンテンツであれば、アイコンメッセージ１４を押下すると、音楽が流れるようになる。本実施形態では、現在のチャットが接続されている間のみコンテンツを利用することができるという利用制約情報により、チャットが終了したとき、このアイコンメッセージ１４は押下できなくなるようにしてもよい。
【００４４】
図３のステップＳ１０８の説明に戻り、ステップＳ１０８にて選択されたコンテンツが、再生中のコンテンツ以外の場合、制御部２２０は、共有可能なコンテンツの一覧をユーザに提示し、チャット相手と共有したいコンテンツを選択させる（Ｓ１１４）。ユーザがチャット相手と共有したいコンテンツを選択すると、制御部２２０は、コンテンツ処理部２６０に対して、選択されたコンテンツが著作権フリーのコンテンツであるか否かを確認させる（Ｓ１１６）。すなわち、チャット相手と共有したいコンテンツが、すべての人が自由に利用できるコンテンツであるか否かを確認する。
【００４５】
ステップＳ１１６にて、著作権フリーのコンテンツである場合には、制御部２２０は、コンテンツに利用制約情報を付加せず、通信部２３０を介して、配信サーバ１００へ送信し、チャット相手の情報通信端末２００へ送信させる（Ｓ１１２）。このとき、コンテンツを受信したユーザの情報通信端末２００の表示部２５２には、上述したように、図４右下に示したような、共有されたコンテンツを再生するためのアイコンメッセージ１４ｄが表示される。アイコンメッセージ１４ｄを受信したユーザが、アイコンメッセージ１４ｄを押下すると、受信したコンテンツを利用することができる。当該コンテンツは著作権フリーであるため、チャット終了後も自由にこのコンテンツを利用することができる。
【００４６】
一方、ステップＳ１１６にて、著作権フリーのコンテンツではないと判定した場合、制御部２２０は、コンテンツに利用制約情報を付加して（Ｓ１１８）、通信部２３０を介して、配信サーバ１００へ送信し、チャット相手の情報通信端末２００へ送信させる（Ｓ１１２）。この場合、ステップＳ１１０と同様の処理が行われる。したがって、アイコンメッセージ１４ｄを受信したユーザは、アイコンメッセージ１４ｄを押下すると、アイコンメッセージ１４に関連付けられたコンテンツを利用制約情報に規定された範囲内で利用することが可能となる。
【００４７】
以上、本実施形態に係るコンテンツ共有システムにおけるコンテンツ共有処理について説明した。本実施形態によれば、複数ユーザ間でコンテンツを共有する場合において、著作権のように利用制限のあるコンテンツについては、当該コンテンツの利用権限のないユーザと共有する際、利用制約をかけて共有可能にする。これにより、コンテンツの利用権限によらず複数ユーザ間でコンテンツを共有することが可能となる。また、利用権限のないユーザに対しては、制約付きでコンテンツの利用を可能にすることで、対価を払って利用権限を得ているユーザとの公平性も維持することができる。
【００４８】
［１．４．利用制約情報のバリエーション］
本実施形態に係るコンテンツ共有システムでは、コンテンツの利用権限のないユーザとコンテンツを共有する際に、利用制約情報を付加し、利用権限のないユーザがコンテンツを利用できる範囲を制約する。図３、図４に基づき説明した上述の例では、現在のチャット接続が確立されている間のみコンテンツを利用できるという制約を付加したが、本技術はかかる例に限定されない。利用制約情報の内容は、共有するコンテンツの種類やコンテンツの提供方法に応じて、適宜設定することができる。以下、利用制約情報の内容を例示する。
【００４９】
（１）音声通話中のみ利用可能
複数ユーザでコンテンツを共有する状況として、例えば音声通話中における音楽コンテンツの共有が考えられる。例えば、通話中のバックミュージックとして音楽コンテンツを再生しているときに、通話相手の端末においても再生中の音楽コンテンツを再生させることで、音楽を聴きながら空間を共有している雰囲気を形成することができる。
【００５０】
ここで、通話相手が音楽コンテンツの利用権限を有していない場合には、コンテンツ処理部２６０により音楽コンテンツに利用制約情報が付加されて、通話相手の端末に送信される。このような場合には、例えば、通話中のみ音楽コンテンツを利用可能とするといった利用制約情報を付加してもよい。
【００５１】
すなわち、図５上側に示すように、情報通信端末２００Ａ、２００Ｂ間の通話が確立されているときには、各ユーザの音声とともに、一方のユーザの情報通信端末２００Ａが再生している音楽コンテンツを、他方のユーザの情報通信端末２００Ｂに送信する。通話中においては、情報通信端末２００Ｂでもこの音楽コンテンツは再生可能となる。一方、図５下側に示すように、情報通信端末２００Ａ、２００Ｂ間の通話が確立されていないときには、音楽コンテンツを提供した情報通信端末２００Ａでは当該音楽コンテンツを再生することができる。しかし、音楽コンテンツを受信した情報通信端末２００Ｂでは、当該音楽コンテンツを再生することができなくなる。
【００５２】
このように、コンテンツの提供を受けたユーザ側の情報通信端末２００Ｂでは、コンテンツを提供したユーザと同時にのみ利用することができるような利用制約情報を設定してもよい。
【００５３】
（２）品質的制約（動画コンテンツ）
複数ユーザで共有するコンテンツとしては、上述した音楽コンテンツ以外に、例えば動画コンテンツも考えられる。動画コンテンツの場合にも、上述と同様、コンテンツの提供を受けた、コンテンツの利用権限のないユーザ側の情報通信端末２００Ｂでは、コンテンツを提供したユーザと同時のみ利用可能とするような時間的制約を付加するようにしてもよい。あるいは、コンテンツの利用権限のないユーザ側の情報通信端末２００Ｂに動画コンテンツを提供する際に、動画コンテンツの品質を低下させる品質的制約を利用制約情報として付加することも考えられる。
【００５４】
品質的制約の一例として、動画コンテンツを構成する各フレームを間引いて提供することが考えられる。例えば図６に示すように、動画コンテンツ２０が、複数のフレーム２０−１、２０−２、２０−３、・・・から構成されているとする。この動画コンテンツ２０の利用権限を有するユーザが、利用権限のないユーザＡ、Ｂ、Ｃと動画コンテンツ２０を共有するとき、コンテンツ処理部２６０は、ユーザＡ、Ｂ、Ｃの情報通信端末２００に対して一部のフレームのみを提供する。例えば、コンテンツ処理部２６０は、各フレームを時系列に沿って、ユーザＡ、Ｂ、Ｃの順に繰り返し割り当てるようにしてもよい。これにより、利用権限のないユーザＡ、Ｂ、Ｃも、元の状態よりも品質は低下するが、動画コンテンツ２０を見ることが可能となる。
【００５５】
また、動画コンテンツ３０が３次元画像のときには、この動画コンテンツ３０の利用権限を有するユーザの情報通信端末２００Ａでは３次元画像として提供されるが、利用権限のないユーザの情報通信端末２００Ｂでは２次元画像として提供するようにしてもよい。３次元画像を２次元画像として提供する方法としては、例えば図７に示すように、３次元画像の動画コンテンツ３０が、左眼用２次元画像３２と右眼用２次元画像３４とから構成されている場合には、いずれか一方の２次元画像のみを提供することが考えられる。このように、本来ユーザに提供される３次元画像を構成する２次元画像を提供することにより、元の状態よりも品質は低下するが、利用権限のないユーザも動画コンテンツ３０を見ることが可能となる。
【００５６】
（３）コンテンツ以外の情報の挿入
コンテンツの利用権限のないユーザがコンテンツを利用する際の利用制約情報として、例えば、共有するコンテンツとともに、当該コンテンツとは直接的に関係のない情報を合わせて提示することも考えられる。例えば、図８に示すように、動画コンテンツ４０の利用権限を有するユーザの情報通信端末２００Ａでは、当該動画コンテンツ４０のみを視聴可能である。一方、動画コンテンツ４０の提供を受けた、利用権限のないユーザの情報通信端末２００Ｂでは、動画コンテンツ４０に重畳して、当該コンテンツとは直接的に関係のない情報（例えば広告等）４２が表示される。このように、利用権限のないユーザは、コンテンツとは直接的に関係のない情報４２によって、動画コンテンツ４０の一部については見ることができないが、動画コンテンツ４０の内容を認識することは可能となる。
【００５７】
（４）処理速度の低下
また、コンテンツの利用権限のないユーザがコンテンツを利用する際の利用制約情報として、例えば、共有するコンテンツについて提供する際の処理速度を、利用権限のあるユーザに対して提供する場合より低下させて、コンテンツを提示することも考えられる。例えば共有するコンテンツとして、電子書籍コンテンツを考える。
【００５８】
図９に示すように、電子書籍コンテンツ５０の利用権限を有するユーザの情報通信端末２００Ａでは、ユーザがページをめくる操作入力が行うと、スムーズに１ページ目から２ページ目に移行される。一方、電子書籍コンテンツ５０の提供を受けた、利用権限のないユーザの情報通信端末２００Ｂでは、ユーザがページをめくる操作入力が行ってから１ページ目から２ページ目に移行するまでに、例えば数秒程度の時間がかかるようにする。このように、利用権限のないユーザも、時間はかかるが電子書籍コンテンツ５０を閲覧することが可能となる。
【００５９】
（５）品質的制約（音楽コンテンツ）
図６および図７では、動画コンテンツについて、コンテンツの利用権限のないユーザに対しては品質的制約をかけて提供する例を示したが、例えば、音楽コンテンツに対しても品質的制約をかけて提供することも可能である。図１０および図１１に、音楽コンテンツに対する品質的制約の一例として、再生方式を変える場合の処理を示す。
【００６０】
例えば、図１１に示すように、音楽コンテンツについて利用権限のあるユーザＡが、情報通信端末２００Ａにて音楽コンテンツを再生し、ベッドフォン３００Ａを用いて聴いているとする。この音楽コンテンツはステレオ音源であり、ユーザＡのヘッドフォン３００Ａからは、右用と左用の２つの音源が出力される。
【００６１】
ここで、図１０に示すように、ユーザＡが、ユーザＢとの音楽コンテンツの共有を指示したとする（Ｓ２００）。この指示に基づき、情報通信端末２００Ａの制御部２２０は、まず、共有する音楽コンテンツが著作権を有するか否かを判定する（Ｓ２０２）。そして、著作原フリーの音楽コンテンツであると判定した場合、制御部２２０は、ユーザＢの情報通信端末２００Ｂに対して、情報通信端末２００Ａと同様のステレオ音源を提供する（Ｓ２０６）。この場合、ユーザＢのヘッドフォン３００Ｂからも右用と左用の２つの音源が出力される。
【００６２】
一方、ステップＳ２０２にて、共有する音楽コンテンツに著作権がある場合、制御部２２０は、ユーザＢが音楽コンテンツの利用権限を有するか否かを判定する（Ｓ２０４）。ユーザＢが音楽コンテンツの利用権限を有するか否かは、例えば、外部のコンテンツ管理サーバ（図示せず。）が管理しているコンテンツの利用権限有無情報に基づき判定することができる。ステップＳ２０４にて、ユーザＢが当該音楽コンテンツの利用権限を有していると判定した場合には、制御部２２０は、ユーザＢの情報通信端末２００Ｂに対して、情報通信端末２００Ａと同様のステレオ音源を提供する（Ｓ２０６）。この場合、ユーザＢのヘッドフォン３００Ｂからも右用と左用の２つの音源が出力される。
【００６３】
ステップＳ２０４にて、ユーザＢが当該音楽コンテンツの利用権限を有していないと判定した場合には、コンテンツ処理部２６０によって、ステレオ音源の音楽コンテンツをモノラル音源にする利用制約がかけられる（Ｓ２０８）。例えば、コンテンツ処理部２６０は、音楽コンテンツに対し、右用と左用の２つの音源のうち、いずれか一方の音源のみとする処理を行う。そして、制御部２２０は、モノラル音源となった音楽コンテンツを、ユーザＢの情報通信端末２００Ｂに対して提供する。これにより、例えばユーザＢのヘッドフォン３００Ｂからは、図１１に示すように右用音源のみが再生されるようになる。あるいは、ヘッドフォン３００Ｂの右側および左側の両方から、同一の音源（例えば右用音源）が出力されるようにしてもよい。
【００６４】
このように、音楽コンテンツの利用権限のないユーザに対しては、ステレオ音源をモノラル音源とする品質的制約のかかった状態で音楽コンテンツを提供する。これにより、音質が低下するが、利用権限のないユーザも、音楽コンテンツを利用することが可能となる。
【００６５】
その他、音楽コンテンツに対する品質的制約として、例えば、ビットレートやＳＮＲ（Ｓｉｇｎａｌ−Ｎｏｉｓｅ  Ｒａｔｉｏ）を落とすことが考えられる。この場合にも、音質が低下するが、利用権限のないユーザも、音楽コンテンツを利用することが可能となる。
【００６６】
このように、利用制約情報の内容は、共有するコンテンツの種類やコンテンツの提供方法に応じて、適宜設定することができる。したがって、上述した利用制約情報の内容は、他の種類のコンテンツに適用することもできる。例えば、共有するコンテンツがゲームである場合には、利用権限のないユーザは、ゲームコンテンツを提供する利用権限のあるユーザがプレイ中のみ、利用できるようにすることもできる。また、複数の利用制約を組み合わせることも可能である。
【００６７】
さらに、共有するコンテンツが同一であっても、共有する利用権限のないユーザに応じて利用制約情報の内容を変化させてもよい。例えば、共有するコンテンツが音楽コンテンツであるとき、利用権限のないユーザに対してビットレートを落として提供する際に、共有するユーザに応じてビットレートを落とすレベルを変えてもよい。あるいは、ある利用権限のないユーザに対しては、ビットレートを低下させて提供し、べつの利用権限のないユーザに対しては、ＳＮＲを低下させて提供するようにしてもよい。
【００６８】
このようなユーザ毎の利用制約情報は、利用権限のあるユーザが設定してもよく、所定の条件に基づいてコンテンツ処理部２６０が自動的に設定してもよい。このとき、予め設定された利用制約情報の範囲内で利用制約情報を変更できるようにすることで、通信量や消費電力を削減できるという効果を奏することもできる。
【００６９】
また、利用制約情報として、例えば利用権限のないユーザに対してアンケートへの回答を要求し、利用権限のないユーザがアンケートに回答したときに、当該利用権限のないユーザに対してコンテンツを提供するような制約を付加してもよい。
【００７０】
＜２．第２の実施形態＞
次に、図１２に基づいて、本開示の第２の実施形態に係るコンテンツ共有システムについて説明する。本実施形態に係るコンテンツ共有システムは、第１の実施形態と比較して、情報通信端末５００Ａ、５００Ｂ間のメッセージの送受信を行う配信サーバ４００にて、コンテンツの共有に関する処理も行う点で相違する。以下では、第１の実施形態のコンテンツ共有システムと異なる点について主として説明し、同一の構成、機能を有する処理部については詳細な説明を省略する。
【００７１】
［２．１．機能構成］
図１２に基づいて、本実施形態に係るコンテンツ共有システムの機能構成について説明する。図１２は、本実施形態に係るコンテンツ共有システムの機能構成を示す機能ブロック図である。図１２に示すように、本実施形態に係るコンテンツ共有システムは、メッセージの送受信を行う配信サーバ４００と、情報通信端末５００Ａ、５００Ｂとからなる。情報通信端末５００Ａ、５００Ｂは、コンテンツに関する利用権限を有するユーザと、コンテンツの利用権限を有していないユーザとが利用する端末として示しているが、同一構成とすることができる。
【００７２】
（配信サーバ）
配信サーバ４００は、ネットワークを介して接続された情報通信端末５００Ａ、５００Ｂに対してメッセージを配信するサーバである。また、配信サーバ４００は、メッセージとともにユーザ間で共有するコンテンツの管理も行っており、ユーザ同士のコンテンツの共有指示に基づき情報通信端末５００Ａ、５００Ｂに配信する。配信サーバ４００は、図１２に示すように、通信部４１０と、制御部４２０と、メッセージ送信処理部４３０と、管理部４４０と、コンテンツ処理部４５０と、ユーザ情報記憶部４６０と、コンテンツ記憶部４７０とを備える。
【００７３】
通信部４１０は、ネットワークを介して接続された情報通信端末５００Ａ、５００Ｂとの情報の送受信を行うインタフェースである。通信部４１０は、各情報通信端末５００Ａ、５００Ｂから送信先へ送信するメッセージを受信したり、送信先の情報通信端末５００Ａ、５００Ｂへメッセージやコンテンツを送信したりする。
【００７４】
制御部４２０は、配信サーバ４００の機能の制御処理全般を行う。制御部４２０は、情報通信端末５００Ａ、５００Ｂから受信した情報に基づいて、メッセージやコンテンツを送信する。また、コンテンツを共有する際に、コンテンツの提供を受けるユーザがコンテンツの利用権限を有しているか否かを確認する処理や、コンテンツの利用権限を有していない他のユーザとコンテンツを共有する場合に、コンテンツに利用制約をかける処理を行わせる。
【００７５】
メッセージ送信処理部４３０は、送信先へ送信するメッセージを送信可能な形式となるよう処理する。メッセージ送信処理部４３０は、通信部４１０から受信したメッセージを処理した後、通信部４１０を介して送信先の情報通信端末５００Ａ、５００Ｂに送信する。
【００７６】
管理部４４０は、コンテンツを共有する際に、コンテンツの提供を受けるユーザがコンテンツの利用権限を有しているか否かを確認する処理を行う。管理部４４０は後述するユーザ情報記憶部４６０を参照して、ユーザのコンテンツの利用権限の有無を確認する。
【００７７】
コンテンツ処理部４５０は、ユーザ間でコンテンツを共有する際に、コンテンツに利用制約をかける処理を行う。コンテンツ処理部４５０は、提供するコンテンツの種類やコンテンツの提供方法に応じて、当該コンテンツを他のユーザが利用する際に、所定の制約を受けるようにする。コンテンツの利用制約としては、第１の実施形態で説明したように、例えば、利用権限のあるユーザと同時に利用する場合にのみ利用可能とするような時間的制約や、コンテンツの品質を低下させる品質的制約等がある。
【００７８】
コンテンツ処理部４５０は、コンテンツの利用権限を有するユーザから他のユーザとのコンテンツの共有が指示されると、対象となるコンテンツをコンテンツ記憶部４７０から取得して、コンテンツにかける利用制約を利用制約情報としてコンテンツに付加する。利用制約情報が付加されたコンテンツは、通信部４１０を介して他のユーザの端末へ送信される。
【００７９】
ユーザ情報記憶部４６０は、当該コンテンツ共有システムによるメッセージ配信サービスを利用するユーザに関する情報を記憶する記憶部である。ユーザ情報記憶部４６０には、ユーザＩＤと、当該ユーザの利用権限のあるコンテンツ情報等が記憶されている。ユーザ情報記憶部４６０の情報は、管理部４５０により参照され、コンテンツを共有する際に、コンテンツ処理部４５０による利用制約情報を付加する処理を行うかの判断に用いられる。
【００８０】
コンテンツ記憶部４７０は、コンテンツを記憶する記憶部である。コンテンツには、例えば、音楽や写真、動画像、電子書籍、ゲーム等がある。コンテンツ記憶部４７０に記憶されているコンテンツは、ユーザ自身は自由に利用可能であるが、他のユーザは利用する権限を有しないコンテンツも含まれる。コンテンツ記憶部４７０に記憶されたコンテンツは、必要に応じてコンテンツ処理部４５０により処理された後、他のユーザと共有することが可能である。
【００８１】
（情報通信端末）
情報通信端末５００Ａ、５００Ｂは、ユーザがメッセージやコンテンツの送受信や、コンテンツの視聴等を行うために使用する端末であり、例えば、携帯電話やスマートフォン、タブレット端末、ウェアラブル端末等の機器である。情報通信端末５００Ａ、５００Ｂは、図１２に示すように、入力部５１０と、制御部５２０と、通信部５３０と、出力部５４０とを備える。これらの機能部は、それぞれ、第１の実施形態に係る入力部２１０、制御部２２０、通信部２３０、および出力部２５０と同様に構成することができる。ここでは詳細な説明を省略する。
【００８２】
［２．２．コンテンツ共有処理］
本実施形態に係るコンテンツ共有システムでは、ユーザ間で共有するコンテンツを、クラウドサーバである配信サーバ４００によって管理している。配信サーバ４００は、ユーザ間でコンテンツを共有する際に、利用権限のないユーザに対しては、コンテンツに利用制約情報を付加する処理を行う。すなわち、第１の実施形態において、コンテンツの提供を行う情報通信端末２００Ａと同様の機能を有する。このように、クラウドサーバによってコンテンツの共有処理を行うことで、ユーザの利用する情報通信端末５００Ａ、５００Ｂそれぞれに利用制約情報を付加するコンテンツ処理部を設ける必要もなく、コンテンツを一括して管理することができる。
【００８３】
この場合にも、第１の実施形態と同様、複数ユーザ間でコンテンツを共有する場合において、著作権のように利用制限のあるコンテンツについては、当該コンテンツの利用権限のないユーザと共有する際、利用制約をかけて共有可能にする。これにより、コンテンツの利用権限によらず複数ユーザ間でコンテンツを共有することが可能となる。また、利用権限のないユーザに対しては、制約付きでコンテンツの利用を可能にすることで、対価を払って利用権限を得ているユーザとの公平性も維持することができる。
【００８４】
なお、配信サーバ４００により配信されるコンテンツに対して利用制約に基づく処理を施すのは、配信サーバ４００であってもよく、コンテンツを受信する情報通信端末２００であってもよい。配信サーバ４００側でコンテンツに対して利用制約に基づく処理を施した場合には、配信サーバ４００は、例えばコンテンツの一部のみを配信する等、配信するデータ量を低減させることができる。
【００８５】
一方、配信サーバ４００はコンテンツをそのまま配信し、受信した情報通信端末２００側で利用制約に基づきコンテンツの一部のみを利用するようにすると、配信されるデータの絶対量を維持したまま、コンテンツをユーザ間でシェアすることが可能となる。例えば、音源Ｌと音源Ｒとからなるステレオ音源の音楽コンテンツが配信サーバ４００から配信されるとする。このとき、利用権限のないユーザＡ、Ｂの情報通信端末２００は、ユーザＡの情報通信端末２００は音源Ｌのみを受信し、ユーザＢの情報通信端末２００は音源Ｒのみを受信するように処理する。また、例えば、動画コンテンツが配信サーバ４００から配信される場合も同様に、例えば利用権限のないユーザＡの情報通信端末２００は奇数フレームのみを受信し、利用権限のないユーザＢの情報通信端末２００は偶数フレームのみを受信するように処理する。このように、コンテンツ配信の際、配信元が配信するコンテンツは同一でありながら、受信側でコンテンツの一部を受信するようにしてもよい。
【００８６】
＜３．ハードウェア構成例＞
最後に、上記実施形態に係る配信サーバ１００、４００および情報通信端末２００Ａ、２００Ｂ、５００Ａ、５００Ｂのハードウェア構成例について説明する。これらの機器は同様に構成することができるため、以下では、配信サーバ１００を例として説明する。図１３は、上実施形態に係る配信サーバ１００のハードウェア構成を示すハードウェア構成図である。
【００８７】
本実施形態に係る配信サーバ１００は、上述したように、コンピュータ等の処理装置により実現することができる。配信サーバ１００は、図１３に示すように、ＣＰＵ（Ｃｅｎｔｒａｌ  Ｐｒｏｃｅｓｓｉｎｇ  Ｕｎｉｔ）９０１と、ＲＯＭ（Ｒｅａｄ  Ｏｎｌｙ  Ｍｅｍｏｒｙ）９０２と、ＲＡＭ（Ｒａｎｄｏｍ  Ａｃｃｅｓｓ  Ｍｅｍｏｒｙ）９０３と、ホストバス９０４ａとを備える。また、配信サーバ１００は、ブリッジ９０４と、外部バス９０４ｂと、インタフェース９０５と、入力装置９０６と、出力装置９０７と、ストレージ装置９０８と、ドライブ９０９と、接続ポート９１１と、通信装置９１３とを備える。
【００８８】
ＣＰＵ９０１は、演算処理装置および制御装置として機能し、各種プログラムに従って配信サーバ１００内の動作全般を制御する。また、ＣＰＵ９０１は、マイクロプロセッサであってもよい。ＲＯＭ９０２は、ＣＰＵ９０１が使用するプログラムや演算パラメータ等を記憶する。ＲＡＭ９０３は、ＣＰＵ９０１の実行において使用するプログラムや、その実行において適宜変化するパラメータ等を一時記憶する。これらはＣＰＵバスなどから構成されるホストバス９０４ａにより相互に接続されている。
【００８９】
ホストバス９０４ａは、ブリッジ９０４を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９０４ｂに接続されている。なお、必ずしもホストバス９０４ａ、ブリッジ９０４および外部バス９０４ｂを分離構成する必要はなく、１つのバスにこれらの機能を実装してもよい。
【００９０】
入力装置９０６は、マウス、キーボード、タッチパネル、ボタン、マイク、スイッチおよびレバーなどユーザが情報を入力するための入力手段と、ユーザによる入力に基づいて入力信号を生成し、ＣＰＵ９０１に出力する入力制御回路などから構成されている。出力装置９０７は、例えば、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置およびランプなどの表示装置や、スピーカなどの音声出力装置を含む。
【００９１】
ストレージ装置９０８は、配信サーバ１００の記憶部の一例であり、データ格納用の装置である。ストレージ装置９０８は、記憶媒体、記憶媒体にデータを記録する記録装置、記憶媒体からデータを読み出す読出し装置および記憶媒体に記録されたデータを削除する削除装置などを含んでもよい。このストレージ装置９０８は、ハードディスクを駆動し、ＣＰＵ９０１が実行するプログラムや各種データを格納する。
【００９２】
ドライブ９０９は、記憶媒体用リーダライタであり、配信サーバ１００に内蔵、あるいは外付けされる。ドライブ９０９は、装着されている磁気ディスク、光ディスク、光磁気ディスク、または半導体メモリ等のリムーバブル記録媒体に記録されている情報を読み出して、ＲＡＭ９０３に出力する。
【００９３】
接続ポート９１１は、外部機器と接続されるインタフェースであって、例えばＵＳＢ（Ｕｎｉｖｅｒｓａｌ  Ｓｅｒｉａｌ  Ｂｕｓ）などによりデータ伝送可能な外部機器との接続口である。また、通信装置９１３は、例えば、通信網５に接続するための通信デバイス等で構成された通信インタフェースである。また、通信装置９１３は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。
【００９４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９５】
例えば、上記実施形態に示した各機能部の構成は、図２または図１２に示した例に限定されない。例えば、コンテンツ処理部や管理部等は、情報通信端末側と配信サーバ側とに分けて設けてもよい。
【００９６】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【００９７】
なお、以下のような構成も本開示の技術的範囲に属する。
（１）
利用権限が付与されたコンテンツについて利用権限を有するユーザからのコンテンツ共有指示に基づいて、前記コンテンツの利用権限のないユーザに対して、利用制約をかけて前記コンテンツを提供する処理部を備える、情報処理装置。
（２）
前記コンテンツが音楽である場合、前記処理部は、前記コンテンツを、音質を低下させて、利用権限のないユーザに対して提供する、前記（１）に記載の情報処理装置。
（３）
前記コンテンツがステレオ音源の音楽である場合、前記処理部は、前記コンテンツをモノラルにして利用権限のないユーザに対して提供する、前記（１）または（２）に記載の情報処理装置。
（４）
利用権限のないユーザが２つ以上の音声出力部を有する装置を利用して前記音楽の提供を受けるとき、前記処理部は、前記各音声出力部から出力されるモノラル音源を同一にする、前記（３）に記載の情報処理装置。
（５）
前記コンテンツが動画像である場合、前記処理部は、前記コンテンツを、フレームレートを落として利用権限のないユーザに対して提供する、前記（１）〜（４）のいずれか１項に記載の情報処理装置。
（６）
前記コンテンツが３次元画像である場合、前記処理部は、前記コンテンツを、２次元画像にして利用権限のないユーザに対して提供する、前記（１）〜（５）のいずれか１項に記載の情報処理装置。
（７）
前記コンテンツが電子書籍コンテンツである場合、前記処理部は、前記コンテンツを、ページの送り速度を遅くして利用権限のないユーザに対して提供する、前記（１）〜（６）のいずれか１項に記載の情報処理装置。
（８）
前記処理部は、利用権限を有するユーザがコンテンツを利用している間のみ、利用権限のないユーザに対して前記コンテンツを提供する、前記（１）〜（７）のいずれか１項に記載の情報処理装置。
（９）
利用権限を有するユーザと利用権限のないユーザとがメッセージを送受信可能な端末を介して通信しているとき、
前記処理部は、利用権限を有するユーザからのコンテンツ共有指示に基づいて、前記コンテンツの利用権限のないユーザに対して、指定されたコンテンツを視聴可能な状態で、前記メッセージとともに提供する、前記（１）〜（８）のいずれか１項に記載の情報処理装置。
（１０）
前記処理部は、前記コンテンツに広告を付加して、利用権限のないユーザに対して前記コンテンツを提供する、前記（１）に記載の情報処理装置。
（１１）
前記処理部は、利用権限のないユーザに対してアンケートへの回答を要求し、前記利用権限のないユーザが前記アンケートに回答したとき、当該利用権限のないユーザに対して前記コンテンツを提供する、前記（１）に記載の情報処理装置。
（１２）
利用権限を有するユーザと利用権限のないユーザとが通話可能な端末を介して通信しているとき、
前記処理部は、利用権限を有するユーザからのコンテンツ共有指示に基づいて、前記コンテンツのうち指定された音楽を、前記コンテンツの利用権限のないユーザに対して、通話の背景音楽として提供する、前記（１）に記載の情報処理装置。
（１３）
前記処理部は、利用権限を有するユーザからの利用制約の設定変更指示を受けて、コンテンツ配信元により予め規定された利用制約の範囲内で、前記利用制約を変更する、前記（１）〜（１２）のいずれか１項に記載の情報処理装置。
（１４）
ユーザによる利用権限のあるコンテンツの利用を管理する管理部を備え、
前記処理部は、前記管理部により判断された各ユーザのコンテンツの利用権限に基づいて、提供するコンテンツに利用制約をかけるように構成される、前記（１）〜（１３）のいずれか１項に記載の情報処理装置。
（１５）
前記情報処理装置および提供されるコンテンツは、ユーザが利用する機器とネットワークを介して接続されたサーバに設けられる、前記（１）〜（１４）のいずれか１項に記載の情報処理装置。
（１６）
前記情報処理装置は、ユーザが利用する機器とネットワークを介して接続されたサーバに設けられ、
前記処理部は、利用権限を有するユーザが利用する機器に格納されたコンテンツを、前記ネットワークを介して、利用権限のないユーザが利用する機器へ提供する、前記（１）〜（１４）のいずれか１項に記載の情報処理装置。
（１７）
利用権限が付与されたコンテンツについて利用権限を有するユーザからのコンテンツ共有指示に基づいて、前記コンテンツの利用権限のないユーザに対して、利用制約をかけて前記コンテンツを提供する、情報処理方法。
（１８）
コンテンツを利用するための複数の情報処理端末と、
前記情報処理端末へのコンテンツの配信を行う配信サーバと、
を備え、
前記配信サーバは、１つの前記情報処理端末より受信した、利用権限が付与されたコンテンツについて利用権限を有するユーザからのコンテンツ共有指示に基づいて、前記コンテンツの利用権限のないユーザに対して、利用制約をかけて前記コンテンツを提供する、コンテンツ共有システム。
（１９）
配信されるコンテンツについて利用権限のないユーザの情報処理端末が複数存在する場合、
前記配信サーバは、前記各情報処理端末に対して前記コンテンツをそのまま送信し、
前記各情報処理端末は、前記利用制約に基づいて、受信したコンテンツの一部のみ受信する、前記（１８）に記載の情報処理装置。
【符号の説明】
【００９８】
１００、４００    配信サーバ
１１０、２３０、４１０、５３０    通信部
１２０、４３０    メッセージ送信処理部
２１０、５１０    入力部
２２０、４２０、５２０            制御部
２４０            メッセージ処理部
２５０、５４０    出力部
２５２、５４２    表示部
２５４、５４４    音声出力部
２６０、４５０    コンテンツ処理部
２７０、４７０    コンテンツ記憶部
４４０            管理部
４６０            ユーザ情報記憶部
【図１】
2016015073.tif 000003
【図２】
2016015073.tif 000004
【図３】
2016015073.tif 000005
【図４】
2016015073.tif 000006
【図５】
2016015073.tif 000007
【図６】
2016015073.tif 000008
【図７】
2016015073.tif 000009
【図８】
2016015073.tif 000010
【図９】
2016015073.tif 000011
【図１０】
2016015073.tif 000012
【図１１】
2016015073.tif 000013
【図１２】
2016015073.tif 000014
【図１３】
2016015073.tif 000015